(57)【要約】【課題】屋外で使用することができ、雨水などでカード等の内容物が汚損することがない表示用ケースを提供する。【解決手段】樹脂製基板７に伝票、掲示物、広告等の内容物を収納する樹脂製袋状物８を設けた表示用ケースであって、袋状物８には袋状物８の開口部を封じるファスナー８ａが設けられ、袋状物８の底部８ｂを基板７の表面上側に固着し、袋状物８のファスナー側を覆うフラップ片９を基板７の表面下側に設けた表示用ケースである。【選択図】  図１
0003123179.tif 000002
【実用新案登録請求の範囲】
【請求項１】
樹脂製基板に伝票、掲示物、広告等の内容物を収納する樹脂製袋状物を設けた表示用ケースであって、
前記袋状物には該袋状物の開口部を封じるファスナーが設けられ、該袋状物の底部を前記基板の表面上側に固着し、該袋状物のファスナー側を覆うフラップ片を該基板の表面下側に設けたことを特徴とする表示用ケース。
【請求項２】
前記袋状物のファスナー側の内面に前記内容物を留める係止片を設けたことを特徴とする請求項１に記載の表示用ケース。
【請求項３】
前記基板の背面側から前記袋状物のファスナー側を押圧するための開口部を前記基板に設けたことを特徴とする請求項１または２に記載の表示用ケース。
【請求項４】
前記袋状物のファスナーの近傍に凹凸帯状部を形成したことを特徴とする請求項１，２または３に記載の表示用ケース。
【考案の詳細な説明】
【技術分野】
【０００１】
本考案は、伝票、掲示物または広告等の内容物を収納して屋外で表示可能とする表示用ケースに関するものである。
【背景技術】
【０００２】
従来、カードケースには図６に示したものがあり、長四角形の基板１にカバーシート２の一側縁部２ａと底辺部２ｂが溶着され、カバーシート２の他側縁部が開放され、この側縁部の上端に把手部３が設けられ、把手部３の裏側に面状ファスナ４の一方の雌片４ａが設けられ、面状ファスナ４の他方の雄辺４ｂが基板１面に設けられ、基板１の裏面に両面テープ５が貼り付けられている。カバーシート１の把手部３の面状ファスナ４を剥がして矢印で示すようにカードＣをカバーシート２の内側に差し込んで、把手部３の面状ファスナ４を基板１に貼り付けることによって、カードＣをカードケースに収納し、物品等を容れて搬送するバケットの側面にこのカードケースを差し込んで固定し、カードで指定した場所にバケットを搬送する（例えば、特許文献１参照）。
【０００３】
【特許文献１】登録実用新第３０４１５２６号公報（明細書全文，図面全図）
【考案の開示】
【考案が解決しようとする課題】
【０００４】
上記従来のカードケースは、屋外で使用することを想定したものではなく、このカードケースにカードを収納して屋外で使用したとすると、雨水などでカードが紙などに印刷された印刷物の場合、カードが汚損して指示または表示内容が判読できない自体になる恐れがあり、屋外で使用することができない欠点があった。
【０００５】
本考案は、上記のような課題に鑑みなされたものであって、屋外で使用することができ、雨水などでカード等の内容物が汚損することがない表示用ケースを提供することを目的とするものである。
【課題を解決するための手段】
【０００６】
本考案は、上記課題を達成したものであって、請求項１の考案は、樹脂製基板に伝票、掲示物、広告等の内容物を収納する樹脂製袋状物を設けた表示用ケースであって、
前記袋状物には該袋状物の開口部を封じるファスナーが設けられ、該袋状物の底部を前記基板の表面上側に固着し、該袋状物のファスナー側を覆うフラップ片を該基板の表面下側に設けたことを特徴とする表示用ケースである。
【０００７】
また、請求項２の考案は、前記袋状物のファスナー側の内面に前記内容物を留める係止片を設けたことを特徴とする請求項１に記載の表示用ケースである。
【０００８】
また、請求項３の考案は、前記基板の背面側から前記袋状物のファスナー側を押圧するための開口部を前記基板に設けたことを特徴とする請求項１または２に記載の表示用ケースである。
【０００９】
また、請求項４の考案は、前記袋状物のファスナーの近傍に凹凸帯状部を形成したことを特徴とする請求項１，２または３に記載の表示用ケースである。
【考案の効果】
【００１０】
請求項１の考案では、樹脂製基板に伝票、掲示物、広告等の内容物を収納する樹脂製袋状物を設けた表示用ケースであって、
前記袋状物には該袋状物の開口部を封じるファスナーが設けられ、該袋状物の底部を前記基板の表面上側に固着し、該袋状物のファスナー側を覆うフラップ片を該基板の表面下側に設けたことを特徴とする表示用ケースであるので、使用状態では袋状物のファスナー側が下方を向き、さらにフラップ片が袋状物のファスナー側を覆うようにして押さえる構造であり、掲示物、広告等の表示用ケースとして屋外で使用しても雨水が袋状物内に染み込み、内容物を汚損することがない利点があるとともに、袋状物のファスナー側がフラップ片で押さえられているので、袋状物が風でばたつくことがない利点がある。
【００１１】
また、請求項２の考案では、前記袋状物のファスナー側の内面に前記内容物を留める係止片を設けたことを特徴とする請求項１に記載の表示用ケースであるので、袋状物内に伝票，掲示物，広告物等の内容物を収納し、内容物の下端部を係止片に挟んで係止することより、袋状物に収納した内容物の掲示位置が一定になり、袋状物がファスナー部にずり落ちることがなく、仮に、ファスナーの一部が開口していた場合であって、内容物がその開口からはみ出すといったことが解消される利点がある。
【００１２】
また、請求項３の考案では、前記基板の背面側から前記袋状物のファスナー側を押圧するための開口部を前記基板に設けたことを特徴とする請求項１または２に記載の表示用ケースであるので、基板の背面から開口部に指を差し込んで袋状物のファスナー側を押し上げ、ファスナーの雌片と雄片を剥がして内容物を差し込むのに利用することができる。
【００１３】
また、請求項４の考案では、前記袋状物のファスナーの近傍に凹凸帯状部を形成したことを特徴とする請求項１，２または３に記載の表示用ケースであるので、袋状物に凹凸帯状部を形成することにより、袋状物内に隙間が形成され、湿気などで袋状物を形成する樹脂シート同士が張り付くのを防止することができる利点がある。
【考案を実施するための最良の形態】
【００１４】
以下、本考案に係る表示用ケースの実施の形態について、図面を参照して説明する。先ず、図面について簡単に説明すると、図１は本実施形態の表示用ケースの斜視図であり、図２は本実施形態の側面図である。図３（ａ）は本実施形態における袋状物の平面図、（ｂ）はその矢視側面図である。図４は本実施形態におけるフラップ片である。図５は本実施形態の表示用ケースの利用例を示す説明図である。
【００１５】
本実施形態は、図１，図２に示したように、樹脂製基板７に伝票、掲示物、広告等の内容物Ａを収納する樹脂製の袋状物８を設けた表示用ケース６あり、袋状物８には袋状物８の開口部を封じるファスナー８ａが設けられ、袋状物８の底部８ｂが溶着により基板７の表面上側に固着され、袋状物８のファスナー８ａが下側に位置している。基板７には、表面下側にフラップ片９が上方に向くように、その端縁部９ａが基板７に溶着されている。このフラップ片９は袋状物Ａのファスナー８ａの端縁部９ａを覆って、押さえることができる。
【００１６】
また、袋状物Ａには、収納された内容物Ａがずり下がらないように留める係止片１０が袋状物８のファスナー８ａの位置より僅かに上部内面に溶着されている。係止片１０は、袋状物Ａを形成する２枚の樹脂シートの中側シートに溶着されている。係止片１０は、袋状物８内に伝票，掲示物，広告物等の内容物Ａを差し込んで内容物Ａの下端部を係止片１０に挟んで係止するものであり、袋状物８に収納した内容物Ａの掲示位置が一定になり、ファスナー部８ａにずり落ちることがなく、仮に、ファスナー８ａの一部が開口していたとしても内容物Ａがその開口部からはみ出すといったことを解消することができる。
【００１７】
また、基板７の下端部には開口部１１が設けられ、開口部１１の位置は袋状物８のファスナー８ａに当たる部分に形成されている。この開口部１１は基板７の背面側から指などを差し込んで、袋状物８のファスナー８ａ側を背面から押してフラップ片９から押し外しのに利用することができる。フラップ片９から外れた袋状物８は、そのファスナー８ａの雌片と雄片を剥がし、内容物Ａを袋状物８内に差し込み、再びファスナー８ａの雌片と雄片とを係合してファスナー８ａをフラップ片９と基板７に差し込む。
【００１８】
また、袋状物８には、ファスナー８ａの近傍に凹凸帯状部８ｃを形成し、袋状物８内に隙間を形成し、湿気などで袋状物を形成する樹脂シート同士が張り付くのを防止することができる。
【００１９】
図５は、本考案の表示用ケースの利用の一例を示したものであり、表示用ケース６に配送伝票が収納され、この表示用ケース６を貨車の側壁部に設けられた収納枠体１２に差し込むことによって、貨車の行き先を指示することができる。また、表示用ケース６は、ファスナー部が下向に設置されるので、ファスナー部から雨水が浸入する恐れが無く、配送伝票が雨水により汚損することがない。また、この表示用ケースは繰り返し利用することができる。
【００２０】
また、本考案の表示用ケースは、屋外で掲示物、広告等を表示用ケースに収納して使用することも可能であり、先に説明したように、袋状物のファスナー側が下向きであり、雨水が袋状物内に染み込むことがなく、内容物を汚損することがない。また、袋状物のファスナー側がフラップ片で押さえられているので、袋状物が風でばたつくこともない。
【産業上の利用可能性】
【００２１】
本考案の活用例としては、配送伝票，広告，掲示物等を収納する表示用の収納ケースとして利用することができる。
【図面の簡単な説明】
【００２２】
【図１】本考案の表示用ケースの一実施形態を示す斜視図である。
【図２】本実施形態の側面図である。
【図３】（ａ）は本実施形態における袋状物の平面図、（ｂ）はその矢視側面図である。
【図４】本実施形態におけるフラップ片の平面図である。
【図５】本実施形態の表示用ケースの使用例を示す説明図である。
【図６】従来のカードケースの使用例を示す斜視図である。
【符号の説明】
【００２３】
６  表示用ケース
７  基板
８  袋状物
８ａ  ファスナー
８ｂ  底部
８ｃ  凹凸帯状部
９  フラップ片
９ａ  端縁部
１０  係止片
１１  開口部
【図１】
0003123179.tif 000003
【図２】
0003123179.tif 000004
【図３】
0003123179.tif 000005
【図４】
0003123179.tif 000006
【図５】
0003123179.tif 000007
【図６】
0003123179.tif 000008